(57)【要約】  流体分配ステーションで生成し、分配ステーションの通信モジュールに割り当てられたれ揮発性メモリに読み取られ保管されたデータを処理または保存する方法に関する。  データは、前もってきめられた関連性基準に従ってイベントのタイプに対応するデータを選ぶために分析され、選択されたデータは、２の連続した測定の間で同じ値を持つデータを検知するために冗長性基準に従って分析される。前回の読取値に関して値が変わらないデータは、マークに置き換えられ、このようにして圧縮されたデータは、不揮発性メモリに保存される。本発明はまた、流体分配ステーション内に生成されたデータを処理および保存する装置に関する。 【選択図】  図１【特許請求の範囲】
【請求項１】
データ処理プラットフォームによってデータを処理および記憶する方法であって、
流体分配（ｄｅｂｉｔ）ステーション内で生成し、読み取られて前記分配ステーションの通信モジュールに割り当てられた揮発性メモリ内に置かれたデータを、前記データ処理プラットフォームが前記分配ステーションに周期的に問い合わせ（ｉｎｔｅｒｒｏｇｅｒ）をすることと、前記データを処理し保存しようとするイベントの開始の直前と前記イベントの開始の直後に時間ウインドウを決定し、前記時間ウインドウ内で受信したデータのみの処理および保存を考慮することと、を特徴とするデータを処理および記憶する方法。
【請求項２】
前記イベントのタイプに対応するデータを選ぶために、前記データを前もってきめられた関連性基準に従って分析することと、
２の連続した測定において同じ値を持つデータを検知するために、選択されたデータを冗長性基準に従って分析することと、
前回の測定の読取値と値が変化しないデータをマークに置き換えることと、
このようにして圧縮されたデータを不揮発性メモリに保存することと、を特徴とする請求項１に記載のデータを処理及び保存する方法。
【請求項３】
前記分配ステーションで生成したデータは、それらが読み取られた順序で、前記分配ステーションの通信モジュールに割り当てられた揮発性メモリ内に置かれることを特徴とする請求項１又は２に記載のデータを処理および記憶する方法。
【請求項４】
前記圧縮されたデータは、前記分配ステーションの通信モジュールの不揮発性メモリ内に置かれた順序でこのメモリ内に保存されるということを特徴とする、請求項２又は３に記載のデータを処理および記憶する方法。
【請求項５】
前記通信モジュールは、約１秒に１回前記分配ステーションに問い合わせをすることを特徴とする、請求項１乃至４の何れか一項に記載のデータを処理および記憶する方法。
【請求項６】
前記分配ステーション内で生成したデータは、約１Ｈｚの周波数で読み取られそして前記モジュールに割り当てられた前記揮発性メモリ内に置かれることを特徴とする、請求項１乃至５の何れか一項に記載のデータを処理および記憶する方法。
【請求項７】
前記分配ステーション内で生成したデータは、割り当てられた前記揮発性メモリに置かれる前に、各応答に対して前記モジュールによって番号が付けられることを特徴とする請求項１乃至６の何れか１項に記載のデータを処理および記憶する方法。
【請求項８】
流体分配ステーション（４、５）で生成したデータを処理する装置であって、
前記装置は、生成されたデータを読み取る手段のほかに、前記分配ステーション（４、５）の通信モジュール（５）において、読み取られたデータを保存する揮発性メモリと、選択基準を保存する不揮発性メモリと、あらかじめ決められた関連性と冗長性の基準に従ってデータを選択する少なくとも１個のコンパレータと、選択されたデータを保存する不揮発性メモリと、を有することを特徴とするデータを処理および保存する装置。
【請求項９】
前記分配ステーションの通信モジュールに割り当てられた、読み取られたデータを置くための揮発性メモリは、待ち行列レジスタ、即ち先入れ先出しの形で組織化されていることを特徴とする請求項８に記載のデータを処理および保存する装置。
【請求項１０】
選択されたデータを保存するための不揮発性メモリは、待ち行列レジスタ、即ち先入れ先出しの形で組織化されていることを特徴とする、請求項８又は９に記載のデータを処理および保存する装置。
【発明の詳細な説明】
【技術分野】
【０００１】
本発明は、器具（ａｐｐａｒｅｉｌ）や設備（ｉｎｓｔａｌｌａｔｉｏｎ）の操作をあらわすデータを処理及び保存する方法はもちろん、このようなデータを処理及び保存する装置（ｄｉｓｐｏｓｉｔｉｆ）にも関する。
本発明は、これ以下「器具の駐車場（ｐａｒｃｄ‘ａｐｐａｒｅｉｌｓ）」とみなす１またはそれ以上の器具又は設備を、操作又は監視することを可能にするデータの処理及び保存の最適化に関する。
本発明の方法と装置の応用の非限定的な例としてここに示すのは、タンクに天然ガスを充填する家庭用器具の駐車場に関し、より詳細には、車両の天然ガスタンクに充填する応用に関する。
【背景技術】
【０００２】
従来、内燃機関が天然ガスを燃料として使用する自動車は、内燃機関がガソリンまたはディーゼルを使用する車両が行なわなければならなかったのと同様に、天然ガスステーションを備えたガソリンスタンドに行かなければならなかった。
【０００３】
今後は、天然ガス供給ネットワークに接続され、家庭用充填器具を備えた個人住宅は、家の居住者の車両の天然ガスタンクを個人的に充填することが可能である。天然ガスの供給は、加熱や台所で利用される天然ガスと同じベースで行われる。機器の相違は、天然ガスが台所の炉または調理ステーションに到達する圧力よりも高い所定の圧力で、天然ガスを車両のタンク内への導入することを可能にするコンプレッサにより主に構成される。
【０００４】
添付の図面の図１は、本発明を適用することができる分配（ｄｅｂｉｔ）ステーション又は充填器具を備えた家庭用設備を示す図である。メインメータを有する外部ボックス１に到達した天然ガスは、天然ガスをボイラ２、調理板または給湯装置などの家庭用機器に向けて送る一方のパイプ、並びに天然ガスを自動車Ｖのタンクを充填するのに必要な圧力にする各々のコンプレッサ４及び家庭用充填器具の操作に関するデータ、例えば配送された天然ガスの量を加えることができるようなデータの直接または遠隔取得を可能にする通信モジュール５を有する家庭用充填器具に向けて送るもう一方のパイプの２本のパイプに分配される。
【０００５】
この概念の実行は、かなり多数の充填器具を監視および保守することに帰着する。
天然ガス供給業者、及び／又は、家庭用充填器具供給業者が家庭用充填器具の駐車場の操作を遠隔監視し、そしてそれによって短期だけでなく長期的にも、トラブルシューティング、適切な保守、又は修繕段階を推論することできるようにするために、充填器具は、測定値、パラメータ、及び多数の他の特性を表すデータを生成し、これらのデータを電気通信や無線通信による遠隔読み取り又は移動職員に携帯された器具によるローカル読み取りによって利用できるように設定された手段を都合良く装備することができる。
【０００６】
測定値を表すデータ、又は家庭用充填器具の駐車場の操作の他の特性、を表わすデータの取得と、有線回線又は可動メモリ（例えば、ディスクまたはいわゆるＵＳＢキードライブ）によるこのようなデータの伝達と、これらのデータの中央処理ステーションへの伝達と、はこれらのデータの処理または利用と同様に、処理するデータが非常に多数であるために大規模活動であるが、しかしまた、一般的に応用の選択された分野による特有の制約を受けやすく、特に相応しい解決法を要求される活動である。
【０００７】
事実、充填器具とデータ読取のために設けられた手段とは、様々な程度にシールされ、時によってはかなり広範囲の気候変化に曝されるケーシング内に格納される。従って、簡単で丈夫な手段を提供する必要がある。同時に、数が極めて大きいので、簡単なプロセスで貸与して利用する安価な手段を提供する必要がある。更に、提供された多数の充填器具は、遠隔メータ読取中央プラットフォームによって処理されるべき極めて多数のデータを導く。
【０００８】
ハードディスクの使用を含む応用、および「スマートカード」とも呼ばれる「チップカード」に組み込まれた低容量メモリの使用を含む応用に対しては、例えばデータの圧縮による保存容量の利用を最適化することによって解決法を見つけることが可能である。
【０００９】
しかし、手段の単純性が一番の関心事であり、記憶関連部品の経費およびサイズを最小限に抑えなければならない応用例では、データ圧縮のみでは期待される成功が得られないであろう。
【発明の概要】
【発明が解決しようとする課題】
【００１０】
本発明の目的は、得られたデータを単純な手段で処理することを可能にし、時には厳しい条件下で操作することが可能でなければならず、また低コストな手段で実行または実施することができる方法及び／又は手段を提案することである。さらに、あらゆるイベントを検知を許しながら同時に帰納的なシナリオの再構築を、比較的低周波数でデータを処理および保存することが可能でなければならない。
【課題を解決するための手段】
【００１１】
本発明の目的は、流体分配ステーション内で生成し、分配ステーションの通信モジュールに割り当てられたれ揮発性メモリに読み取られ保管されたデータを処理または保存する過程で達成される。
【００１２】
この方法によれば、データは前もってきめられた関連性基準に従ってイベントのタイプに対応するデータを選択するために分析され、選択されたデータは冗長性基準に従って２の連続した測定の間で同じ値を持つデータを検知するために冗長性基準に従って分析され、前回の読取値に関して値が変わらないデータは、マークに置き換えられ、このようにして圧縮されたデータは、不揮発性メモリに保存される。
【００１３】
本発明の目的はまた、流体分配ステーション内に生成されたデータを処理および保存する装置で達成される。
【図面の簡単な説明】
【００１４】
【図１】本発明の装置を、例えばガス分配設備内にどのように統合することができるかを図式的に示す図である。
【図２】本発明の装置と、その動作が方法によって監視される充填器具との関係を図式的に示す図である。
【発明を実施するための形態】
【００１５】
本発明によって提案される解決法は、以下の考えに基づいている、即ち、家庭用充填器具の操作を示す情報を示す測定値および他のアイテムは、標準的ＲＳ２３２ポートからシリアル結合によって通信モジュールに伝達される。
【００１６】
通信モジュールは充填器具に、測定値、作動パラメータ、作動状態の指示、及び起こりうる作動エラーの指示などの操作データを規則的な間隔、例えば毎秒収集するように要求を送信する。充填器具は、これらのデータの状態とは無関係に、生データ全てを含むデータパケットを送信することによって応答する。充填器具はしたがって、データ処理に関しては、従属機器として作動する。
【００１７】
充填器具から通信モジュールに伝達される全てのデータは、通信モジュールのモジュール内の異なるメモリに保存される。
【００１８】
これらのメモリは、部分的に不揮発性メモリ（例えば、フラッシュメモリ）、および残りは揮発性メモリ（例えば、ＲＡＭメモリ）からなる。それぞれの特徴を備えたＲＡＭおよびフラッシュメモリは、電子工学で最も普及している。
【００１９】
ハードディスクは、特に小さい寸法のものはより高価でより壊れ易い。書込み数に関する制限とフラッシュメモリの経費とを考慮すると、充填器具からの応答を一時的に保存するのに使用されるのはＲＡＭメモリである。データは夫々の応答Ｄ（ｔ）に応答番号がつけられてデータベース内に保存される。この番号は、新しい応答の夫々に対して１ユニットだけ増加する。したがって、それは唯一であり、メモリ内にある応答の時間内の識別を可能にする。
【００２０】
不揮発性メモリは、保存された情報アイテムは電源遮断で失われないがメモリへの書込み数が制限されるという主要な特徴を有する。更に、メモリへの書込みはメモリの各セルの物理的変更であるので、各々の書込みで磨耗および破断が事実上生じる。
【００２１】
これに対比して、揮発性メモリは、電源遮断の場合に保存情報を損失するが、半無限的な数の書込みを支持することを特徴としている。
【００２２】
フラッシュメモリ以外の不揮発性メモリがある。しかし、その操作の特徴とインストールの環境とが、部品の寸法と経費とが最適化された搭載環境と一致する家庭用充填ステーションのようなステーションの操作条件とは異なって、ハードディスクのような不揮発性メモリは時にはかなり煩わしくかなり制約を受ける動作環境を要求する。
【００２３】
さらに、フラッシュメモリの経費とＲＡＭメモリの経費とを比較すると、フラッシュメモリの経費が明らかに大きく、従ってこの場合も、再び、その利用の最大限の最適化が要求される。
これらのマテリアルコンディションは、結果として、保存および処理すべきデータを、それらに与えられた重要性を関数として、保持すべきデータに関してどちらを選択することができるのかという意味において本発明に提供された問題を解くための選択をもたらした。
【００２４】
したがって、これ以下に説明するように、通信モジュールは全てのデータを受信し、一時的に保存し、これらをソートし最終的に保存する必要があるかどうかの決定を待つ。実際には、あらゆる中央取得ステーションと同様に、移動型または特に搭載型の通信モジュールは限られた保存スペースを有する。さらに、これはまた揮発性メモリ内に一時的に保存されたデータのいくつかを定期的に消去しなければならないということを示している。
【００２５】
さらに、解決法は、以下の基準を最適化するような方法で作成される。
使用する記憶構成部品の経費及びサイズ、
２つの消去処理の間の期間、すなわち消去の経費、
電源遮断によるデータ損失の危険性。
【００２６】
家庭用充填器具と通信モジュール間の対話は標準的なＲＳ２３２シリアルリンクによって発生する。装置とモジュールとの間の交換を管理するプロトコルは、通信モジュールが交換の親装置であり充填器具が従属機器であるという原則にしたがって実行される。
【００２７】
モジュールの要求により、そしてモジュールと充填器具の間のリンクが正しいと仮定すると、充填器具は時間ｔにおいてそのｎ個のデータアイテム全てを送信する。
ｄ１（ｔ）、
ｄ２（ｔ）、
・・・
ｄｎ（ｔ）
【００２８】
このプロトコルによると、充填器具は時間ｔでの生データのパケットＤ（ｔ）＝［ｄ１，ｄ２，．．．ｄｎ］を通信モジュールに送信する。対話は周期的に生成され、そしてこの周期は後からのデータの使用に依存して決められる。本発明の枠組（ｃａｄｒｅ）に関連して記載された応用例としては、１秒の期間が選択される。
【００２９】
第１段階では、充填器具から受信したデータ、即ち通信モジュールの要求に対する充填器具の応答は、適切な方法で分析および処理ができるように保存される。
【００３０】
データの処理は、フィルタリングおよび圧縮の組合せの形で存在する。実際、毎秒ごとに完了する１回の書込みでさえも、５年間の動作中に約１５０，０００，０００回の書込みが蓄積する。メモリサイズおよびこのようなデータ量の処理に関連する費用の問題とは別に、上述したように、種々の器具の適切な整備と操作との追跡を確立するために、その量ために真に有用な情報を隠蔽する危険性のある過剰な量のデータを如何に取り扱うかという方法を知る必要がある。
【００３１】
したがって、本発明の方法は、第１段階として、処理すべきデータのフィルタリングを提供する。実際、上に記載したように、データを揮発性メモリ内に置いておくことは、電源遮断中に損失するリスクを与える。
【００３２】
不揮発性メモリ、特にフラッシュメモリは書き込みの数に関してのみからず、保存スペースに関しても制限があり、不揮発性メモリに可能な限り最小限の量の不必要なデータを記入することが重要である。さらに、消去の経費を制限を可能にするために、通信モジュールからデータ消去後の空間（ｅｖａｃｕａｔｉｏｎｓ）を空けることができるようにするためには、かなり長い区間を覆うことが出来るようにする必要がある。したがって、保持すべきデータを最大限にフィルタリングすることが必要であり、換言すれば、最も関連性のあるデータをのみを保持するようにすべきである。
【００３３】
第１フィルタリング操作は、器具はその動作中に異なるステップを有することができるということと、器具の動作を監督するために全てのステップを考慮する必要はないということと、を使用して実行される。
【００３４】
従って、家庭用充填器具では、各分配ステーションのコンプレッサ周りの５つのイベントが識別される。
圧縮の開始
奇数時間（ｕｍ  ｎｏｍｂｒｅ  ｉｍｐａｉｒ  ｄ‘ｈｅｕｒｅｓ）の圧縮の進行
圧縮の停止
コンプレッサに関して検出されたエラー
コンプレッサの再生
これらのイベントは、他のステップと違って、監視が必要だと考えられる動作ステップを示す。
【００３５】
イベントは、充填器具からの連続応答がこのタイプの情報を含む場合に、それらを分析することによって検出される。例えば、「コンプレッサの再生」というデータアイテムが０から１に切り換った時に、再生が検出される。
各タイプのイベントについて、イベントの開始の直前とイベントの開始の直後とに時間ウィンドウが決定される。
【００３６】
この目的のために、連続して生成され揮発性メモリに保存されたデータは、イベントの開始を確認できるように、読み取りウインドウ内をスクロールできるような方法で読み取られ、そして時間ウィンドウはこのイベント開始に関して置くことができる。
揮発性ＲＡＭメモリ内の全てのデータのうち、この時間ウィンドウ中に受信したデータのみが考慮される。
【００３７】
さらに、各タイプのイベントにとっては、特定の情報項目は関係ないか、若しくはイベントの問い合わせ（ｉｎｔｅｒｒｏｇｅｒ）のウィンドウの丁度その瞬間に関係するだけであり、例えば圧縮開始イベントでは、周囲温度はウィンドウの開始時と終了時とに関係するだけである。各タイプのイベントに対する関係性データの制限は、第２段階のフィルタリングを構成する。
【００３８】
第３段階のフィルタリングは、全ての冗長データを取り除くことによって行なわれる。実際、数値の書き込みは、数値が前の応答のものと同じ数値であることを示す単純なマークを挿入するのより大きな保存空間が必要である。従って、あるデータとその前のデータとの比較により、数値の変化がないことが示された場合には、数値が前の応答のものと同じであることを示す単純なマークが挿入される。
【００３９】
要約すると、あるイベントが検出された場合、このイベントに対して規定された時間ウィンドウが終了するまで、家庭用充填器具の応答は常にＲＡＭメモリ内のデータベースに保存される。その後に必要なデータがデータベースから抽出され、まだデータベースの形をした新規ファイルが新設される。新規ファイルは、与えられた時間ウィンドウの期間の充填器具の動作を理解するのに必要最小限の量のデータのみを含んでいる。
【００４０】
充填器具の応答はＦＩＦＯ構造（Ｆｉｒｓｔ  ｉｎ  ｆｉｒｓｔ  ｏｕｔ：先入れ先出し、即ちこれらの応答に割り当てられた保存空間全てが占有されている場合、新しい応答の保存を可能にするために消去されるのは最も古い情報である）にしたがって揮発性ＲＡＭメモリ内に保存される。さらに、家庭用充填器具の応答に割り当てられた空間と同様に時間ウィンドウも、イベント期間中は時間ウインドウが終了しても過去のデータは引き続き揮発性メモリ内にあるように決められている。
【００４１】
これ以下の表は、例として、開始イベントに対する、イベントの標準時間５秒前から、イベント後１７５秒までの時間ウィンドウでフラッシュメモリ内に書き込まれるデータを示している。
【００４２】
【表１】
2010500639.tif 000002
【００４３】
充填器具から受信した全データから最も関係性のあるデータが選択されると、これらの選択されたデータを含むファイルが、通信モジュール内のアプリケーションによって圧縮される。この圧縮は、Ｌｉｎｕｘで動作する「ｇｚｉｐ」タイプのソフトウェアで実行することができる。
【００４４】
選択データを含むファイルが圧縮された時、それは不揮発性メモリ、この場合はフラッシュメモリ内にＦＩＦＯ構造で保存される。このように、フィルタリングおよび圧縮が行なわれて、選択データは小さい空間を占有する。フラッシュメモリの占有は、主にイベントの数に依存する。
【００４５】
そして、２つのデータ消去の間に多くのイベントがある場合、最も古いイベントに関する情報は失われる。これは許容される選択を構成する。それにもかかわらず不揮発性メモリは通常は２つの読取間で保存したデータ全てを含むようなサイズに作られる。
【００４６】
要約すると、本発明の方法は以下のステップを使用する。
充填器具の応答のナンバリング
ＦＩＦＯレジスタ形式で組織化されたＲＡＭタイプの揮発性メモリ内への装置の応答の保存
イベント、すなわち重要なステップの定義
時間ウィンドウの定義
関連のある（ｐｅｒｔｉｎｅｎｔｅ）データの定義
データ値の冗長性の管理
応用された圧縮、この場合、通信モジュール上で応用される圧縮
フィルタリングおよび圧縮データの、ＦＩＦＯレジスタの形で組織化された不揮発性フラッシュメモリ内への保存
【００４７】
本発明の目的はまた、流体分配ステーションの通信モジュール内において、生成されたデータを読み取る手段に加えて、読み取られたデータを保存する揮発性メモリと、選択の基準を保存する不揮発性メモリと、あらかじめ決められた関連性と冗長性の基準に従ってデータを選択する少なくとも１個のコンパレータと、選択されたデータを保存する不揮発性メモリと、を有するところの流体分配装置で生成したデータを処理する装置によって達成される。
【００４８】
本発明のいくつかの有利な実施形態によると、読み取られたデータを配置するように、分配ステーションの通信モジュールに割り当てられた不揮発性メモリは、待ち行列レジスタ、すなわち「先入れ先出し」の形で組織化され、および／または、選択データを保存する不揮発性メモリは、待ち行列レジスタ、すなわち「先入れ先出し」の形で組織化されている。
【００４９】
添付図面の図２は、本発明の方法および装置を使用してその動作を監視すべき充填器具と、保持すべきデータを収集、処理、その後保存する通信モジュールの間の関係を図式的に示している。
【００５０】
図２では、家庭用充填器具は、通信モジュール５に接続された専用のコンプレッサ４を有することをより詳細に示した。通信モジュール５は、コンプレッサ４に結合するメモリを問い合わせ（ｉｎｔｅｒｒｏｇｅｒ）し（右側の矢印）、後者は、全てのデータを通信モジュール５に送信する（左側の矢印）。
【００５１】
受信した全てのデータが上記のようにフィルタリングおよび圧縮されると、通信モジュール５は、保存すべきデータを、取得され選択されたデータを利用するように構成されたプラットフォーム６に特定のプロトコルにしたがって伝達する準備ができる。
【００５２】
通信モジュール５とプラットフォーム６の間の伝達は、あらゆる適当な技術的方法によって、特に遠隔通信若しくはディスクまたは前記ＵＳＢキードライブなどの可動メモリを使用してデータを収集する移動職員によって行なうことができる。
【図１】
2010500639.tif 000003
【図２】
2010500639.tif 000004
【国際調査報告】
2010500639.tif 000005
2010500639.tif 000006
2010500639.tif 000007
2010500639.tif 000008